(57)【要約】【課題】パターンを有する長尺ウェブ状の光学フィルム原反を適正な位置で高精度にスリットする。【解決手段】パターンを有する長尺ウェブ状の光学フィルム原反を搬送しながらスリットし、得られた長尺ウェブ状の光学フィルムをロール状に巻回して光学フィルムロールを製造するシステムであって、搬送される前記光学フィルムの長手方向の端面であるスリットライン及びその近傍のパターンを撮像する撮像部と、前記撮像部で得られた撮像結果に基づき、前記光学フィルム原反の幅方向位置を調整するアライメント部とを有する。【選択図】図１Ａ
2014228848.tif 000002
【特許請求の範囲】
【請求項１】
パターンを有する長尺ウェブ状の光学フィルム原反を搬送しながらスリットし、得られた長尺ウェブ状の光学フィルムをロール状に巻回して光学フィルムロールを製造するシステムであって、
搬送される前記光学フィルムの長手方向の端面であるスリットライン及びその近傍のパターンを撮像する撮像部と、
前記撮像部で得られた撮像結果に基づき、前記光学フィルム原反の幅方向位置を調整するアライメント部と、を有する、光学フィルムロールの製造システム。
【請求項２】
パターンを有する長尺ウェブ状の光学フィルム原反をスリットし、得られた長尺ウェブ状の光学フィルムをロール状に巻回して光学フィルムロールを製造する製造システムであって、
前記光学フィルム原反を光学フィルム原反ロールから繰り出す繰出部と、
前記繰出部から繰り出された前記光学フィルム原反を下流へ搬送する搬送部と、
前記搬送部により搬送される前記光学フィルム原反を長手方向に沿って連続的に切断し、前記長尺ウェブ状の光学フィルムを得るスリット部と、
前記スリット部よりも下流側に配置され、搬送される前記光学フィルムの切断された長手方向の端面であるスリットライン及びその近傍のパターンを撮像する撮像部と、
前記撮像部で得られた撮像結果に基づき、幅方向における前記光学フィルム原反の位置を調整するアライメント部と、
前記スリット部で得られた前記光学フィルムをロール状に巻回する巻回部と、を有する光学フィルムロールの製造システム。
【請求項３】
前記撮像部は、前記光学フィルムの長手方向に沿って円弧状に形成された凸曲面に前記光学フィルムを密接させながら前記スリットライン及びその近傍のパターンを撮像する、請求項１または２に記載の光学フィルムロールの製造システム。
【請求項４】
前記撮像部により撮像される前記光学フィルムの前記スリットラインを含む撮像領域を照明する照明部をさらに有する、請求項１から３のいずれか１項に記載の光学フィルムロールの製造システム。
【請求項５】
前記アライメント部が、前記繰出部の幅方向位置を調整する繰出位置調整部を有する、請求項１〜４のいずれか１項に記載の光学フィルムロールの製造システム。
【請求項６】
前記アライメント部が、前記搬送部の一部であり、かつ前記搬送部より搬送される前記光学フィルム原反の幅方向位置を調整するウェブアライメント部を有する、請求項１〜５のいずれか１項に記載の光学フィルムロールの製造システム。
【請求項７】
前記撮像部で撮像された画像を表示する表示部をさらに有する、請求項１〜６のいずれか１項に記載の光学フィルムロールの製造システム。
【請求項８】
前記光学フィルムが、互いに位相差が異なる第１位相差領域と第２位相差領域が幅方向に交互に配置されたパターン位相差フィルムである、請求項１〜７のいずれか１項に記載の光学フィルムロールの製造システム。
【請求項９】
前記光学フィルムが、互いに位相差が異なる第１位相差領域と第２位相差領域が幅方向に交互に配置されたパターン位相差フィルムと、長手方向に平行な吸収軸を有する偏光フィルムとが積層されたパターン位相差フィルム一体型偏光板である、請求項８に記載の光学フィルムロールの製造システム。
【請求項１０】
前記光学フィルムが、透光領域と遮光領域が配置されたパターンフィルムである、請求項１〜８のいずれか１項に記載の光学フィルムロールの製造システム。
【請求項１１】
パターンを有する長尺ウェブ状の光学フィルム原反を搬送しながらスリットし、得られた長尺ウェブ状の光学フィルムをロール状に巻回して光学フィルムロールを製造する方法であって、
搬送される前記光学フィルムの長手方向の端面であるスリットライン及びその近傍のパターンを撮像する撮像工程と、
前記撮像工程で得られた撮像結果に基づき、前記光学フィルム原反の幅方向位置を調整するアライメント工程と、を含む光学フィルムロールの製造方法。
【請求項１２】
パターンを有する長尺ウェブ状の光学フィルム原反を搬送しながらスリットし、得られた長尺ウェブ状の光学フィルムをロール状に巻回して光学フィルムロールを製造する方法であって、
前記光学フィルム原反を光学フィルム原反ロールから繰り出す繰出工程と、
前記繰出工程で繰り出された前記光学フィルム原反を下流へ搬送する搬送工程と、
前記搬送工程により搬送される前記光学フィルム原反を前記光学フィルムが、透光領域と遮光領域が配置されたパターンフィルムである長手方向に沿って連続的に切断し、前記長尺ウェブ状の光学フィルムを得るスリット工程と、
前記スリット工程よりも下流側で行われ、搬送される前記光学フィルムの切断された長手方向の端面であるスリットライン及びその近傍のパターンを撮像する撮像工程と、
前記撮像工程で得られた撮像結果に基づき、前記光学フィルム原反の幅方向位置を調整するアライメント工程と、
前記スリット工程で得られた前記光学フィルムをロール状に巻回する巻回工程と、を含む、光学フィルムロールの製造方法。
【発明の詳細な説明】
【技術分野】
【０００１】
本発明は、長尺ウェブ状の光学フィルム原反をその長手方向にスリットして長尺ウェブ状の光学フィルムとし、この長尺ウェブ状の光学フィルムをロールに巻回して光学フィルムロールを製造するための製造システムおよび製造方法に関する。
【背景技術】
【０００２】
立体画像を表示する３Ｄ−ＬＣＤ  ＴＶ等の立体画像表示装置では、互いに位相差が異なる右眼用画像表示領域（第１位相差領域）と左眼用画像表示領域（第２位相差領域）が幅方向に交互に配置されたパターン位相差フィルムや、透光領域と遮光領域が配置されたパターンフィルムなどが用いられる。これらフィルムには、予めパターンが形成されている。
【０００３】
光学フィルムロールを製造するは、一般的に、幅広の光学フィルム原反を所定幅にスリットし、このスリット後の光学フィルムをロールに巻回する。しかし、上記のように予めパターンが形成された光学フィルムの場合、単にスリット幅を適正にするだけでなく、パターンに対して適正な位置で高精度にスリットすることが要求される。
【０００４】
特許文献１では、パターン位相差フィルムが巻回されたロールを開示している。
【先行技術文献】
【特許文献】
【０００５】
【特許文献１】特開２０１２−３２４４５号
【発明の概要】
【発明が解決しようとする課題】
【０００６】
しかしながら、特許文献１では、パターンに沿った指定位置でのスリットについて具体的に記載されていない。
【０００７】
しかしながら、特許文献１では、パターンに対して適正な位置で高精度にスリットする方法について具体的に記載されていない。
【０００８】
本発明は、上記の課題に鑑みてなされたものであって、パターンを有する長尺ウェブ状の光学フィルム原反を、パターンに対して適正な位置で高精度にスリットすることができる光学フィルムロールの製造システムおよびその製造方法を提供することを目的とする。
【課題を解決するための手段】
【０００９】
上記課題を解決するために、鋭意研究を重ねた結果、以下の本発明を完成するに至ったものである。すなわち、本発明は、パターンを有する長尺ウェブ状の光学フィルム原反を搬送しながらスリットし、得られた長尺ウェブ状の光学フィルムをロール状に巻回して光学フィルムロールを製造するシステムであって、
搬送される前記光学フィルムの長手方向の端面であるスリットライン及びその近傍のパターンを撮像する撮像部と、
前記撮像部で得られた撮像結果に基づき、前記光学フィルム原反の幅方向位置を調整するアライメント部と、を有する。
【００１０】
この構成によれば、スリットライン及びその近傍のパターンの幅方向位置に基づき、当該光学フィルム原反の幅方向位置が調整されるため、当該光学フィルム原反をパターンに対して適正な位置で高精度にスリットすることができる。
【００１１】
前記パターンとしては、例えば、光学フィルム原反の長手方向と平行な線(基準線)、あるいは搬送される長尺ウェブ状の光学フィルム原反の搬送方向（長手方向）と平行な線(基準線)が挙げられる。
【００１２】
なお、本明細書において「幅方向」とは、搬送される長尺ウェブ状の光学フィルム原反の搬送方向（長手方向）と直交する方向を指す。
【００１３】
また、他の発明の本発明は、パターンを有する長尺ウェブ状の光学フィルム原反をスリットし、得られた長尺ウェブ状の光学フィルムをロール状に巻回して光学フィルムロールを製造する製造システムであって、
前記光学フィルム原反を光学フィルム原反ロールから繰り出す繰出部と、
前記繰出部から繰り出された前記光学フィルム原反を下流へ搬送する搬送部と、
前記搬送部により搬送される前記光学フィルム原反を長手方向に沿って連続的に切断し、前記長尺ウェブ状の光学フィルムを得るスリット部と、
前記スリット部よりも下流側に配置され、搬送される前記光学フィルムの切断された長手方向の端面であるスリットライン及びその近傍のパターンを撮像する撮像部と、
前記撮像部で得られた撮像結果に基づき、幅方向における前記光学フィルム原反の位置を調整するアライメント部と、
前記スリット部で得られた前記光学フィルムをロール状に巻回する巻回部と、を有する。
【００１４】
この構成によれば、スリットライン及びその近傍のパターンの幅方向位置に基づき、幅方向におけるスリット部の位置が調整されるため、当該光学フィルム原反をパターンに対して適正な位置で高精度にスリットすることができる。
【００１５】
また、上記発明の一実施形態として、前記撮像部は、前記光学フィルムの長手方向に沿って円弧状に形成された凸曲面に前記光学フィルムを密接させながら前記スリットライン及びその近傍のパターンを撮像する。
【００１６】
この構成によれば、光学フィルム原反の搬送中のばたつきを無くし、幅方向におけるスリットラインの位置を測定したときの測定バラツキを減らすことができるため、パターンに対してより適正な位置で高精度にスリットすることができる。
【００１７】
また、上記発明の一実施形態として、前記撮像部により撮像される前記光学フィルムの前記スリットラインを含む撮像領域を照明する照明部をさらに有する。
【００１８】
この構成によれば、スリットラインを含む撮像領域を照明することで、スリットラインおよびその近傍のパターンが際立つため撮像される画像が鮮明となり、測定誤差を減少できる。撮像部に対して、透過光方式でスリットライン（およびパターン）を照射するよりも、反射光方式でスリットライン（およびパターン）を照射する方がスリットライン（およびパターン）のエッジがより際立つため好ましい。
【００１９】
また、上記発明の一実施形態として、前記アライメント部が、前記繰出部の幅方向位置を調整する繰出位置調整部を有する。
【００２０】
また、上記発明の一実施形態として、前記アライメント部が、前記搬送部の一部であり、かつ前記搬送部より搬送される前記光学フィルム原反の幅方向位置を調整するウェブアライメント部を有する。
【００２１】
繰出位置調整部によって繰出部の幅方向位置を調整し、また、ウェブアライメント部によって搬送中の光学フィルム原反の幅方向位置を調整することができる。繰出位置調整部による調整は、ウェブアライメント部のそれよりも大きなアライメント（移動距離が大きい）であり、ウェブアライメント部のアライメントは小さなアライメントをするのに適している。これにより、光学フィルム原反をパターンに対して適正な位置で高精度にスリットすることができる。
【００２２】
ウェブアライメント部は、例えば、少なくとも２本のロールと、当該ロールをその長手方向に自由に移動させる移動機構とを有する。２本のロールの長手方向と光学フィルム原反の幅方向とが平行になるように、２本のロールと光学フィルム原反とを配置し、２本のロールに光学フィルム原反を巻き掛ける。光学フィルム原反を搬送させながら、２本のロールを移動機構で幅方向に移動させることで、光学フィルム原反の幅方向位置を微調整できる。
【００２３】
また、上記発明の一実施形態として、前記撮像部で撮像された画像のスリットライン（およびパターン）を表示する表示部をさらに有する。
【００２４】
この構成によれば、撮像部で撮像されたスリットライン（およびパターン）を、モニターなどの表示部に出力（表示）させることで、オペレータによりスリットがパターンに対して適正な位置でなされているかを目視で簡単に確認できる。
【００２５】
また、上記発明の一実施形態として、前記光学フィルムが、互いに位相差が異なる第１位相差領域と第２位相差領域が幅方向に交互に配置されたパターン位相差フィルムである。
【００２６】
前記パターン位相差フィルムとしては、例えば、右眼用画像及び左眼用画像を表示することにより立体画像を表示する装置に設けられるパターン位相差フィルム（立体画像表示装置用位相差フィルム）などが挙げられる。
【００２７】
また、上記発明の一実施形態として、前記光学フィルムが、互いに位相差が異なる第１位相差領域と第２位相差領域が幅方向に交互に配置されたパターン位相差フィルムと、長手方向に平行な吸収軸を有する偏光フィルムとが積層されたパターン位相差フィルム一体型偏光板である。
【００２８】
また、上記発明の一実施形態として、前記光学フィルムが、透光領域と遮光領域が幅方向に交互に配置されたパターンフィルムである。
【００２９】
また、前記スリット部の切断手段として、例えば、カッター、レーザーが挙げられる。また、前記スリット部の切断手段は、例えば、前記光学フィルム原反の幅方向において２つ以上設けられていればよい。
【００３０】
また、他の発明の光学フィルムロールの製造方法は、パターンを有する長尺ウェブ状の光学フィルム原反を搬送しながらスリットし、得られた長尺ウェブ状の光学フィルムをロール状に巻回して光学フィルムロールを製造する方法であって、
搬送される前記光学フィルムの長手方向の端面であるスリットライン及びその近傍のパターンを撮像する撮像工程と、
前記撮像工程で得られた撮像結果に基づき、前記光学フィルム原反の幅方向位置を調整するアライメント工程と、を含む。
【００３１】
また、他の発明の光学フィルムロールの製造方法は、パターンを有する長尺ウェブ状の光学フィルム原反を搬送しながらスリットし、得られた長尺ウェブ状の光学フィルムをロール状に巻回して光学フィルムロールを製造する方法であって、
前記光学フィルム原反を光学フィルム原反ロールから繰り出す繰出工程と、
前記繰出工程で繰り出された前記光学フィルム原反を下流へ搬送する搬送工程と、
前記搬送工程により搬送される前記光学フィルム原反を前記光学フィルムが、透光領域と遮光領域が配置されたパターンフィルムである長手方向に沿って連続的に切断し、前記長尺ウェブ状の光学フィルムを得るスリット工程と、
前記スリット工程よりも下流側で行われ、搬送される前記光学フィルムの切断された長手方向の端面であるスリットライン及びその近傍のパターンを撮像する撮像工程と、
前記撮像工程で得られた撮像結果に基づき、前記光学フィルム原反の幅方向位置を調整するアライメント工程と、
前記スリット工程で得られた前記光学フィルムをロール状に巻回する巻回工程と、を含む。
【図面の簡単な説明】
【００３２】
【図１Ａ】実施形態１の光学フィルムロールの製造システムの概略図。
【図１Ｂ】スリット部、第１撮像部の一例を示す図。
【図２】実施形態１の基準線の例を示す図。
【図３】第１撮像部の視野範囲を例示する図。
【図４】実施形態２の光学フィルムロールの製造システムの概略図。
【図５】実施形態３の光学フィルムロールの製造システムの概略図。
【図６】実施形態４の光学フィルムロールの製造システムの概略図。
【図７】実施形態５の光学フィルムロールの製造システムの概略図。
【発明を実施するための形態】
【００３３】
（実施形態１）
本実施形態１の長尺ウェブ状の光学フィルム原反は、互いに位相差が異なる第１位相差領域と第２位相差領域が幅方向に交互に配置されたパターン位相差フィルムと、長手方向に平行な吸収軸を有する偏光フィルムとが積層された光学フィルム原反（パターン位相差フィルム一体型偏光板の一例）である。この光学フィルム原反のフィルム幅は、例えば、１２００ｍｍ以上、２４００ｍｍ以下である。
【００３４】
長尺ウェブ状の光学フィルム原反は、その長手方向に平行な基準線Ｌ１が形成されている。この基準線Ｌ１は、パターン位相差フィルムのパターンの一部である。基準線Ｌ１は、１つでもよく、２以上でもよい。また、基準線の線種として、例えば実線、破線が挙げられるが、実線が好ましい。基準線の長手方向と直交する幅のサイズおよび基準線の色は、撮像部で撮像して画像解析できる限り特に制限されない。
【００３５】
実施形態１の光学フィルムロールの製造システム１の構成を図１Ａ，１Ｂを参照しながら説明する。図２に長尺ウェブ状の光学フィルム原反８０に形成された基準線Ｌ１の一例を示す。
【００３６】
繰出部１０は、長手方向に平行な基準線を有する長尺ウェブ状の光学フィルム原反８０を、原反ロールＲ１から繰り出す。繰出部１０は、前記原反ロールＲ１を回転させる回転機構を有する。回転機構は自由回転でもよく、モータに連結されて回転駆動可能になっていてもよい。
【００３７】
搬送部５０は、繰出部１０から繰り出された光学フィルム原反８０を下流へ搬送する。搬送部５０は、不図示のニップロールによって光学フィルム原反８０を挟んで送りだす構成でもよく、後述する下流側に配置された巻取部７０によって、ロールＲ２，Ｒ３，Ｒ４にスリット後の長尺ウェブ状の光学フィルムを巻き取ることで搬送されてもよく、それら両方で搬送してもよい。本実施形態１において、搬送部５０は、スリット部３０までに搬送ロール５１ａ、５１ｂを有し、スリット部３０の後段に搬送ロール５２、５３、５４を有する。搬送ロール５１ａ、５１ｂ、５２は、例えば、円柱ロール、溝付ロールで構成されることが好ましい。
【００３８】
スリット部３０は、搬送部５０により搬送される光学フィルム原反８０を長手方向に沿って連続的に切断し、長尺ウェブ状の光学フィルム８１、８２、８３、８４を得る。図１Ａでは、光学フィルム原反８０の一方の幅方向端部分である光学フィルム８４を巻き取る巻取部は省略している。
【００３９】
スリット部３０の切断手段としては、例えば、カッター、レーザーが挙げられるが、切断面の品質の観点からカッターが好ましく、２つのカッターで切断物を挟んで対向させるシェアカットがより好ましい。本実施形態１では、スリット部３０は、３つの切断手段を光学フィルム原反８０の幅方向に直線状に配置される。
【００４０】
第１撮像部４１は、スリット部３０よりも下流側に配置される。第１撮像部４１は、搬送部５０により搬送される光学フィルム８０の切断された長手方向の端面であるスリットラインＣ１（またはＣ２，Ｃ３）及びその近傍のパターン(基準線Ｌ１を含む)を撮像する。第１撮像部４１は、例えば、エリアカメラで構成される。図１Ｂ、図３に示すとおり、第１撮像部４１は、その視野内にスリットラインＣ１および基準線Ｌ１を撮像する。
【００４１】
第１撮像部４１は、光学フィルム原反８０の長手方向に沿って円弧状に形成された凸曲面に、光学フィルム原反８０を密接させながらスリットラインＣ１および基準線Ｌ１を撮像する。この凸曲面として、搬送部５０の一部を構成するロール５２が用いられる。
【００４２】
第１撮像部４１により撮像される光学フィルム原反８０のスリットラインＣ１を含む撮像領域を照明する照明部として、リング照明４１１を用いる。図１Ａに示したとおり、第１撮像部４１は、光学フィルム原反８０に対して、リング照明４１１と同じ側で、かつリング照明４１１よりも離れた位置に配置される。また、第１撮像部４１と光学フィルム原反８０の間には、基準線を形成する一方の領域とクロスニコルの関係になり、他方の領域とパラレルニコルの関係になる円偏光板が設けられる。
【００４３】
第１撮像部４１で撮像された画像は、情報処理装置９０で画像解析される。情報処理装置９０の判断部９１は、画像解析して得られたスリットラインＣ１および基準線Ｌ１の長手方向のエッジ(検出ラインＬ１１)を検出する。図３に、検出ラインＬ１１とスリットラインＣ１の一例を示す。判断部９１は、スリットラインＣ１が、カメラの視野内の予め設定された標準位置（スリットラインＣ１があるべき位置）にあるか（または所定の範囲内に配置されているか）否かを判断する。判断部９１は、例えば、基準線Ｌ１の検出ラインＬ１１または視野範囲（撮像エリア）の図３の図面上右端からスリットラインＣ１までの垂直距離を測定し、その測定値が所定値の範囲内か否かで判断する。判断部９１が、スリットラインＣ１の位置が、予め設定された標準位置（スリットラインＣ１があるべき位置）にある（または所定の範囲内に配置されている）と判断した場合には、なにも指示をしなくてもよく、例えば、表示部のモニター９５へ画像を出力させてもよい。「標準位置または所定の範囲内」は、例えば、基準線Ｌ１の検出ラインＬ１１からの垂直距離に基づいて設定してもよい。
【００４４】
一方、判断部９１が、スリットラインＣ１が、予め設定された標準位置（スリットラインＣ１があるべき位置）にない、（または所定の範囲内に配置されていない）と判断した場合には、演算部９２は、繰出部１０の移動方向と移動量を求める。演算部９２は、例えば、画像のスリットラインＣ１が前記標準位置からのズレ方向およびズレ量を測定し、繰出部１０の移動方向（ズレ方向と逆方向）と移動量を求める。移動量は、ズレ量と同じでもよく、ズレ量よりも大きくてもよく、小さくてもよい。そして、制御部９３は、上記で求められた移動方向と移動量を、後述する繰出位置調整部６０に指令する。
【００４５】
繰出位置調整部６０は、第１撮像部４１で撮像して得られた撮像結果(画像)に基づき、繰出部１０の幅方向位置を調整する。繰出位置調整部６０は、繰出部１０をその幅方向に移動させるための移動機構を有し、制御部９３から送られた移動方向と移動量に基づいて、この移動機構によって、繰出部１０の幅方向位置を調整する。移動機構としては、例えば、直動機構が挙げられる。
【００４６】
巻回部７０は、スリット部３０で切断された長尺ウェブ状の光学フィルム８１、８２、８３をそれぞれロールＲ２、Ｒ３、Ｒ４に巻き取る。巻回部７０は、不図示のモータと回転機構を有し、ロールＲ２，Ｒ３，Ｒ４を同期かつ同速で回転させ、長尺ウェブ状の光学フィルム８１、８２、８３をそれぞれ巻き取る。
【００４７】
スリット撮像部４３、４４は、スリット部３０（および第１撮像部４１）よりも下流側に配置され、搬送される光学フィルムの切断された長手方向の端面であるスリットラインＣ１、Ｃ２を撮像する。スリット撮像部４３、４４は、ラインカメラで構成される。
【００４８】
スリット撮像部４３、４４は、光学フィルム８１、８２の長手方向に沿って円弧状に形成された凸曲面に光学フィルム８１、８２を密接させながらスリットライン（スリット後の切断面）を撮像する。この凸曲面として、搬送部５０の一部を構成するロール５３、５４がそれぞれ用いられる。
【００４９】
スリット撮像部４３、４４により撮像されるスリットラインＣ１、Ｃ２を含む撮像領域を照明する照明部として、バー照明４３１、４４１を用いる。図１Ａに示したとおり、スリット撮像部４３、４４は、光学フィルム８１、８２に対して、バー照明４３１、４４１と同じ側で、かつバー照明４３１、４４１よりも離れた位置に配置される。また、スリット撮像部４３、４４と光学フィルム８１、８２の間には、基準線を形成する一方の領域とクロスニコルの関係になり、他方の領域とパラレルニコルの関係になる円偏光板が設けられる。
【００５０】
スリット撮像部４３、４４で撮像された画像は、モニターへ送られ表示することができる。スリット撮像部４３，４４で撮像されたスリット位置を、モニター９５に出力（表示）させることで、オペレータによるスリットラインＣ１、Ｃ２の目視確認を簡単に行える。図４に、スリット撮像部４３，４４で撮像されたスリットラインＣ１の画像の一例を示す。
【００５１】
（実施形態２）
実施形態２の光学フィルムロールの製造システム２の構成を図４を参照しながら説明する。実施形態１と異なる構成について説明し、同じ構成の説明は省略する。
【００５２】
搬送部５０は、繰出部１０と第１撮像部４２との間で、第１撮像部４２で撮像して得られた画像に基づいて、光学フィルム原反８０の幅方向の位置を調整するウェブアライメント部２０を有する。第１撮像部４２は実施形態１の第１撮像部４１と同じ構成である。情報処理装置９０も同じ構成であり、実施形態１と同様に移動方向と移動量を求め、ウェブアライメント部２０へ指令し、ウェブアライメント部２０によって光学フィルム原反８０の幅方向の位置を調整させる。
【００５３】
判断部９１が、画像のスリットラインＣ１が、予め設定された標準位置（スリットラインＣ１があるべき位置）にない、（または所定の範囲内に配置されていない）と判断した場合には、演算部９２は、ウェブアライメント部２０の移動方向と移動量を求める。演算部９２は、例えば、画像のスリットラインＣ１が前記標準位置からのズレ方向およびズレ量を測定し、ウェブアライメント部２０の移動方向（ズレ方向と逆方向）と移動量を求める。移動量は、ズレ量と同じでもよく、ズレ量よりも大きくてもよく、小さくてもよい。そして、制御部９３は、上記で求められた移動方向と移動量を、ウェブアライメント部２０に指令する。ウェブアライメント部２０は、上記移動方向と移動量をに基づいて光学フィルム原反８０の幅方向の位置を調整する。
【００５４】
実施形態２のウェブアライメント部２０は、第１アライメントロール２１と、第２アライメントロール２２と、第１、第２アライメントロール２１、２２をその長手方向に自由に移動させる直動機構２３とを有する。第１、第２アライメントロール２１、２２の長手方向と光学フィルム原反８０の幅方向とが平行になるように、第１、第２アライメントロール２１、２２と光学フィルム原反８０とを配置する。図４のように、第１アライメントロール２１に対し光学フィルム原反８０を下から右横へ９０°の角度で巻き掛け、次いで、第２アライメントロール２２に対し光学フィルム原反８０を下へ９０°の角度で巻き掛ける。搬送部５０によって光学フィルム原反８０を搬送させながら、第１、第２アライメントロール２１、２２を直動機構２３でフィルム幅方向に移動させることで、光学フィルム原反８０の幅方向位置を微調整する。
【００５５】
（実施形態３）
実施形態３の光学フィルムロールの製造システム３の構成を図５を参照しながら説明する。実施形態３は、実施形態１と２の両方の構成を有している。アライメント部として、繰出位置調整部６０とウェブアライメント部２０の両方を備える。
【００５６】
繰出位置調整部６０によって繰出部１０の幅方向位置を調整し、また、ウェブアライメント部２０によって搬送中の光学フィルム原反８０の幅方向位置を調整する。繰出位置調整部６０による調整は、ウェブアライメント部２０のそれよりも大きなアライメント（移動距離が大きい）であり、ウェブアライメント部２０のアライメントは小さなアライメントをする。
【００５７】
（実施形態４）
実施形態４の光学フィルムロールの製造システム４の構成を図６を参照しながら説明する。第１撮像部４１に代替し、スリット撮像部４３、４４を用いる。
【００５８】
スリット撮像部４３、４４で撮像された画像（スリットラインＣ１、Ｃ２）は、情報処理装置９０でそれぞれ画像解析される。情報処理装置９０の判断部９１は、画像解析で得られた画像のスリットラインＣ１、Ｃ２を検出する。図３に示すとおり、スリットラインＣ１が、カメラの視野内の予め設定された標準位置（スリットラインがあるべき位置）にあるか（または所定の範囲内に配置されているか）否かを判断する。判断部９１は、例えば、パターンの一部ラインからスリットラインまでの垂直距離を測定し、その測定値が所定値の範囲内か否かで判断する。判断部９１が、画像のスリットラインＣ１（および／またはＣ２）の位置が、予め設定された標準位置にある（または所定の範囲内に配置されている）と判断した場合には、なにも指示をしなくてもよく、例えば、表示部のモニター９５へ画像を出力させてもよい。また、判断部９１は、スリット撮像部４３、４４のいずれか一方で撮像された画像に基づいて判断してもよく、両方の画像に基づいて判断してもよい。
【００５９】
一方、判断部９１が、画像のスリットラインＣ１（および／またはＣ２）が、予め設定された標準位置にない、（または所定の範囲内に配置されていない）と判断した場合には、演算部９２は、繰出部１０の移動方向と移動量を求める。演算部９２は、例えば、スリットラインの前記標準位置からのズレ方向およびズレ量を測定し、繰出部１０の移動方向（ズレ方向と逆方向）と移動量を求める。移動量は、ズレ量と同じでもよく、ズレ量よりも大きくてもよく、小さくてもよい。そして、制御部９３は、上記で求められた移動方向と移動量を繰出位置調整部６０に指令する。繰出位置調整部６０は、上記移動方向、移動量に従って、繰出部１０の幅方向位置を調整する。
【００６０】
（実施形態５）
実施形態５の光学フィルムロールの製造システム５の構成を図７を参照しながら説明する。実施形態５は、判断部９１が、画像のスリットラインＣ１（および／またはＣ２）が、予め設定された標準位置にない、（または所定の範囲内に配置されていない）と判断した場合には、演算部９２は、ウェブアライメント部２０の移動方向と移動量を求める。演算部９２は、例えば、スリットラインの前記標準位置からのズレ方向およびズレ量を測定し、ウェブアライメント部２０の移動方向（ズレ方向と逆方向）と移動量を求める。移動量は、ズレ量と同じでもよく、ズレ量よりも大きくてもよく、小さくてもよい。そして、制御部９３は、上記で求められた移動方向と移動量をウェブアライメント部２０に指令する。ウェブアライメント部２０は、上記移動方向、移動量に従って、ウェブアライメント部２０の幅方向位置を調整する。
【００６１】
（実施形態６）
実施形態６は、実施形態４と５の両方の構成を有している。スリット撮像部４２、４３で撮像して得られた撮像結果（画像）に基づき情報処理装置９０で測定された測定結果（移動方向、移動量）に従って、繰出位置調整部６０およびウェブアライメント部２０の両方を調整する。
【００６２】
＜製造方法＞
光学フィルムロールの製造方法は、パターンを有する長尺ウェブ状の光学フィルム原反を搬送しながらスリットし、得られた長尺ウェブ状の光学フィルムをロール状に巻回して光学フィルムロールを製造する方法であって、搬送される前記光学フィルムの長手方向の端面であるスリットライン及びその近傍のパターンを撮像する撮像工程と、前記撮像工程で得られた撮像結果に基づき、前記光学フィルム原反の幅方向位置を調整するアライメント工程とを含む。
【００６３】
また、別の光学フィルムロールの製造方法は、パターンを有する長尺ウェブ状の光学フィルム原反を搬送しながらスリットし、得られた長尺ウェブ状の光学フィルムをロール状に巻回して光学フィルムロールを製造する方法であって、前記光学フィルム原反を光学フィルム原反ロールから繰り出す繰出工程と、前記繰出工程で繰り出された前記光学フィルム原反を下流へ搬送する搬送工程と、前記搬送工程により搬送される前記光学フィルム原反を前記光学フィルムが、透光領域と遮光領域が配置されたパターンフィルムである長手方向に沿って連続的に切断し、前記長尺ウェブ状の光学フィルムを得るスリット工程と、前記スリット工程よりも下流側で行われ、搬送される前記光学フィルムの切断された長手方向の端面であるスリットライン及びその近傍のパターンを撮像する撮像工程と、前記撮像工程で得られた撮像結果に基づき、前記光学フィルム原反の幅方向位置を調整するアライメント工程と、前記スリット工程で得られた前記光学フィルムをロール状に巻回する巻回工程とを含む。
【００６４】
（光学フィルムの別実施形態）
上記実施形態では、光学フィルム原反をパターン位相差フィルム一体型偏光板の例で説明したが、特にこれに制限されず、例えば、光学フィルム原反のパターンフィルムが透光領域と遮光領域が幅方向に交互に配置されたパターンフィルムでもよい。
【符号の説明】
【００６５】
１        光学フィルムロールの製造システム
１０      繰出部
２０      ウェブアライメント部
２１      第１アライメントロール
２２      第２アライメントロール
３０      スリット部
４１      第１撮像部
４１１    リング照明
４３、４４      スリット撮像部
４３１、４４１  バー照明
５０      搬送部
６０      繰出位置調整部
７０      巻回部
８０      長尺ウェブ状の光学フィルム原反
８１、８２、８３、８４      長尺ウェブ状の光学フィルム
９０      情報処理装置
Ｌ１      基準線
Ｃ１      スリットライン
Ｒ１      原反ロール
Ｒ２、Ｒ３、Ｒ４  ロール
【図１Ａ】
2014228848.tif 000003
【図１Ｂ】
2014228848.tif 000004
【図２】
2014228848.tif 000005
【図３】
2014228848.tif 000006
【図４】
2014228848.tif 000007
【図５】
2014228848.tif 000008
【図６】
2014228848.tif 000009
【図７】
2014228848.tif 000010